(57)【要約】【目的】映像記憶媒体との組合せ、設計が容易であり、無線ＩＣチップの取換えが容易であり、各種データ等の表示も容易である映像記憶媒体を提供することである。【構成】（１）少なくとも記憶又は書換え可能な映像記憶媒体において、映像記憶媒体本体の表面又は裏面の少なくとも一方に、印刷・インクジェットを含む記録手段によって表示可能な表示部を備えた無線ＩＣチップを取替可能に設置したこと、（２）表示部を備えた無線ＩＣチップが、表示部が無線ＩＣチップのベースに設けられている構成であること、を特徴とする映像記憶媒体である。【選択図】        図１
2005339061.tif 000002
【特許請求の範囲】
【請求項１】
少なくとも記憶又は書換え可能な映像記憶媒体において、映像記憶媒体本体の表面又は裏面の少なくとも一方に、印刷・インクジェットを含む記録手段によって表示可能な表示部を備えた無線ＩＣチップを取替可能に設置したことを特徴とする映像記憶媒体。
【請求項２】
表示部を備えた無線ＩＣチップが、表示部が無線ＩＣチップのベースに設けられている構成であることを特徴とする請求項１に記載の映像記憶媒体。
【請求項３】
表示部を備えた無線ＩＣチップが、表示部が無線ＩＣチップのベースとは別個のベースに設けられた構成であることを特徴とする請求項１に記載の映像記憶媒体。
【請求項４】
表示部を備えた無線ＩＣチップが、接着層ないし粘着層を介して映像記憶媒体本体の表面又は裏面の少なくとも一方に設置されていることを特徴とする請求項１に記載の映像記憶媒体。
【請求項５】
表示部が、映像記憶媒体本体の記憶容量、製造データの如き映像記憶媒体本体自身に関する表示であることを特徴とする請求項１〜４のいずれかに記載の映像記憶媒体。
【請求項６】
表示部が、顔写真等の本人確認を補助する等の映像記憶媒体本体自身に関する表示以外の表示であることを特徴とする請求項１〜５のいずれかに記載の映像記憶媒体。
【発明の詳細な説明】
【技術分野】
【０００１】
本発明は映像記憶媒体に関し、詳しくは無線ＩＣチップの設置された映像記憶媒体に関する。
【背景技術】
【０００２】
ＳＤカードの如き映像記憶媒体を用いたプリントアウトのオーダー受付けにおいて、平易で簡単な技術が必要とされている。例えば、無線ＩＣチップを内蔵したＳＤカードを撮影装置付き携帯カメラに装着することが検討されている。
【０００３】
無線ＩＣチップ内蔵の場合、ＳＤカードとの組合せ、設計上の問題点が多い。また、無線ＩＣチップの容量、様式等の進歩スピードも著しいものがあり、内蔵された無線ＩＣチップを交換することは容易ではない。
【０００４】
一方、ＳＤカードの如き映像記憶媒体においては、当該媒体の記録容量、製造データ等のＳＤカードの規格に基づく表示が必要である。
【発明の開示】
【発明が解決しようとする課題】
【０００５】
本発明は、映像記憶媒体との組合せ、設計が容易であり、無線ＩＣチップの取換えが容易であり、各種データ等の表示も容易である映像記憶媒体を提供することを課題とする。
【課題を解決するための手段】
【０００６】
上記課題を解決する本発明は下記構成を有する。
【０００７】
１．少なくとも記憶又は書換え可能な映像記憶媒体において、映像記憶媒体本体の表面又は裏面の少なくとも一方に、印刷・インクジェットを含む記録手段によって表示可能な表示部を備えた無線ＩＣチップを取替可能に設置したことを特徴とする映像記憶媒体。
【０００８】
２．表示部を備えた無線ＩＣチップが、表示部が無線ＩＣチップのベースに設けられている構成であることを特徴とする上記１に記載の映像記憶媒体。
【０００９】
３．表示部を備えた無線ＩＣチップが、表示部が無線ＩＣチップのベースとは別個のベースに設けられた構成であることを特徴とする上記１に記載の映像記憶媒体。
【００１０】
４．表示部を備えた無線ＩＣチップが、接着層ないし粘着層を介して映像記憶媒体本体の表面又は裏面の少なくとも一方に設置されていることを特徴とする上記１に記載の映像記憶媒体。
【００１１】
５．表示部が、映像記憶媒体本体の記憶容量、製造データの如き映像記憶媒体本体自身に関する表示であることを特徴とする上記１〜４のいずれかに記載の映像記憶媒体。
【００１２】
６．表示部が、顔写真等の本人確認を補助する等の映像記憶媒体本体自身に関する表示以外の表示であることを特徴とする上記１〜５のいずれかに記載の映像記憶媒体。
【発明の効果】
【００１３】
請求項１に示す本発明によれば、映像記憶媒体の表面又は裏面の少なくとも一方に表示部を設置したので、無線ＩＣチップを内蔵したものとは異なり、映像記憶媒体との組合せ、設計が容易であり、無線ＩＣチップの取換えが容易であり、各種データ等の表示も容易である。
【００１４】
特に請求項２に示す本発明によれば、表示部が無線ＩＣチップのベースに設けられているので、製造に際しては一貫作業で製造できるだけでなく、構成部品数を減じることができる。
【００１５】
請求項３に示す本発明によれば、表示部が無線ＩＣチップのベースとは別個のベースに設けられているので、無線ＩＣチップの製造工程に影響を受けることなく別に製造することができる。
【００１６】
請求項４に示す本発明によれば、接着層ないし粘着層を介して設置されているので、ＳＤカードに表示部を極めて容易に設置することができる。
【００１７】
請求項５又は６に示す本発明によれば、表示部の表示によって、映像記憶媒体本体の情報、又は映像記憶媒体本体以外の情報を容易に知ることができる。
【発明を実施するための最良の形態】
【００１８】
以下、本発明を実施するための最良の形態の一例について図面に基づき説明する。
図１は本発明に係る映像記憶媒体の一実施例を示す正面図、図２は表示部を備えた無線ＩＣチップの一実施例を示す正面図、図３は図２の概略拡大断面図、図４は表示部を備えた無線ＩＣチップの他の実施例を示す背面図、図５は図４の概略拡大断面図、図６は表示部を備えた無線ＩＣチップの他の実施例を示す概略拡大断面図、図７は表示部の他の実施例を示す正面図である。
【００１９】
図１において、１は少なくとも記憶又は書換え可能な映像記憶媒体、２は表示部３を備えた無線ＩＣチップである。
【００２０】
表示部３を備えた無線ＩＣチップは、映像記憶媒体１本体の表面又は裏面の少なくとも一方、好ましくは本実施例の態様のように表面（この例では、外部接点が設けられていない側）に設置されており、取替可能となっている。取替は、映像記憶媒体１から剥離又は取外した後、新規の無線ＩＣチップ２又は別なる無線ＩＣチップ２を貼付又は取付ける等により設置することで行われる。
【００２１】
また、無線ＩＣチップ２は、ＩＣチップ部２１とアンテナ部２２とを主構成としており（図１及び図２の点線部分参照）、図３に示すように、該無線ＩＣチップのベース２３の表側２３Ａに、印刷・インクジェットを含む記録手段により表示部３が設けられている。
【００２２】
表示部３には、映像記憶媒体１本体自身に関する表示、即ち、映像記憶媒体の種類、記憶容量、製造データ（製造社名、品番等）等が表示されている。尚、表示部３は書換え可能であってもよいし、書換え不可であってもよし、部分的に書換え可能又は不可であってもよい。
【００２３】
ベース２３の裏側２３Ｂには、接着層ないし粘着層４が設けられており、該接着層ないし粘着層４によって無線ＩＣチップ２は映像記憶媒体１に設置される。
【００２４】
接着層ないし粘着層４に用いられる接着剤ないし粘着剤としては、この種の映像記憶媒体の表示部の接着手段ないし粘着手段に用いられる公知公用のものが挙げられる。尚、無線ＩＣチップ２取替の際の剥離時に接着層ないし粘着層４は、容易に剥離できるもの、剥離後の再接着ないし再粘着可能なもの、破壊或いは接着力ないし粘着力が無効となるものも本発明内に包含される。
【００２５】
以下、本発明に好ましく用いられる無線ＩＣチップ２について説明する。尚、「無線ＩＣチップ」という呼び方の他、「無線チップ」、「非接触ＩＣチップ」、「ＩＣタグ」、「無線タグ」、「ＲＦＩＤタグ」、「非接触ＩＣカード」など様々な呼び方がある。本発明はいずれのものであってもよい。
【００２６】
本発明では、片面電極に限らず両面電極の構造を有するものであってもよく、具体的には、オムロン社製Ｖ７２０−Ｄ５２Ｐ０１、Ｖ７２０−Ｄ５２Ｐ０２、Ｖ７２０−Ｄ５２Ｐ０３、Ｖ７２０−Ｄ５２Ｐ０４、ＩＣを搭載した日立社製「ミューチップ」、凸版印刷社製「Ｔ−ジャンクション」、ＹＲＰ・ユビキタスネットワークワーキング研究所と東大阪村研究室及びルネサンステクノロジが共同開発した「ｅトロン／１６−ＡＥ４５Ｘ」等が挙げられる。
【００２７】
例えば、上記「ミューチップ」は０．４ミリ角の大きさのＲＯＭチップで、このサイズに１．４５ＧＨｚの高周波アナログ回路と１２８ビットのＲＯＭを集積しており、厚さは０．０６ミリしかないものである。
【００２８】
このミューチップは、より小さくすることを追求したため機能面では限定され、一般の無線ＩＣチップが書換可能なＲＡＭ方式であるのに対し、読み出し専用のＲＯＭ方式である。本発明では、ＲＯＭ方式、ＲＡＭ方式のいずれも採用することができる。
【００２９】
本発明において、少なくとも記憶又は書換え可能な映像記憶媒体１とは、ＳＤカードの如き標準規格化されているメモリーカードであり、ＳＤカードの他、ｍｉｎｉＳＤカード、メモリースティック、メモリースティックＰＲＯ、メモリースティックＤＵＯ、コンパクトフラッシュ、マイクロドライブ、ｘＤピクチャーカード、スマートメディア等に代表されるフラッシュメモリを記憶媒体とするメモリーカード等である。
【００３０】
標準規格化された映像記憶媒体１は、製品名や製造者名、或いは使用者による情報（日付、記録内容、担当者名等）を表示するための表示シールを貼着する凹みスペース１１が、縦・横・深さなどが標準規格化され、又は一定の大きさで用意されている（例えば、ＳＤカードの一例では、縦１３．８ｍｍ、横２１ｍｍ、深さ０．０７５ｍｍ）。本発明では、この標準規格化されて予め用意されている表示シール貼着用の凹みスペース１１を利用し、該凹みスペース１１に上述した表示部３を備えた無線ＩＣチップ２を取替可能に設置することにより、映像記憶媒体の汎用性を損なうことがない。
【００３１】
尚、標準規格に凹みスペース１１が指定されておらず、映像記憶媒体１の表面又は裏面の平坦面に表示シール貼着用のスペースが設けられている場合や、或いは凹みスペース１１が標準規格化されている場合であっても、凹みスペース１１以外の部分や裏面に貼着しても映像記憶媒体１の性能に何ら影響の無く各種機器に映像記憶媒体１を装填してもひっかかりや捲れ、剥がれ、破れの惧れの無い場合、表示部３を備えた無線ＩＣチップ２の設置位置は凹みスペース１１でなくても構わない。
【００３２】
表示部３を備えた無線ＩＣチップ２の設置は、前述したようにベース２３の裏側２３Ｂの接着層ないし粘着層４を介して行われることが好ましく、この場合、接着層ないし粘着層４の接着剤又は粘着剤は無線ＩＣチップ２のＩＣチップ部２１、アンテナ部２２、ベース２３に影響のないものを用いる。また、接着層ないし粘着層４以外の手段、例えば、前記凹みスペース１１に嵌合ないしは埋め込み等により設置してもよい。嵌合ないし埋め込み等の設置手段であっても、設置される無線ＩＣチップ２は前述したように取替可能であるため、取り外すことができることは勿論である。更に、ベース２３の材料としては電界遮蔽の少ないプラスチックや紙等が好ましい。
【００３３】
無線ＩＣチップ２は上記した通りに設置されるので、標準規格化されている凹みスペース１１に設置される場合は該凹みスペース１１の深さ以下の厚みを、また凹みスペース１１以外に設置される場合は装填時のひっかかりや捲れの生じない厚みのものが用いられる。
【００３４】
無線ＩＣチップに記憶される情報としては、映像に関する情報や利用者に関する情報等が挙げられ、例えば、映像の撮影条件、撮影場所、撮影日時、撮影内容、撮影者名、各映像のプリント枚数、プリントサイズ等や、利用者の氏名・年齢・住所・連絡先等が好ましい。各種情報を記憶させておくことにより、プリント時やプリント依頼時に、住所・氏名や必要枚数・サイズ等をその都度入力したり、書き込んだりする手間を省くことが可能となる。
【００３５】
映像記憶媒体１が特定の販売店で販売されたり、特定の撮影機器ないしは情報機器等が利用される場合、無線ＩＣチップ２には、プリントサービス利用実績等の顧客情報や各種履歴情報等が記憶されたり、或いは顧客管理用データベースと相互ないしは一方リンクされることが好ましい。
【００３６】
無線ＩＣチップ２にプリペイド機能を付与することで、当該映像記憶媒体１に記憶された画像データのプリント時等の支払いをキャッシュレス化することも可能である。
【００３７】
無線ＩＣチップ２は、大容量化、小型化、読み取り・書き込み速度の高速化等、高性能化したものが現れた場合にも交換することができる。即ち、いわゆるバージョンアップが可能である。また、無線ＩＣチップ２を搭載しないメモリーカードを新規購入したときに、無線ＩＣチップ２を貼り替えることにより、元の情報を活用することも可能となる。
【００３８】
表示部３を備えた無線ＩＣチップ２は、図３に示す上記実施例のように表示部３が無線ＩＣチップ２のベース２３の表側２３Ａに設けられている態様の他、図４及び図５に示すように、表示部３が無線ＩＣチップ２のベース２３とは別個の表示部ベース３１に設けられた構成であってもよい。この構成の場合、接着層ないし粘着層４は、表示部ベース２３の裏側であって無線ＩＣチップ２の周囲部分に設けられることが好ましい。いずれの場合においても、電波障害をきたさない材料が用いられる。
【００３９】
図６に示すように、表示部ベース３１に加えて裏側ベース３２を設け、無線ＩＣチップ２を表示部ベース３１と裏側ベース３２の間に挟み込み、裏側ベース３２の裏面に接着層ないし粘着層４が設けられる構成としてもよい。
【００４０】
表示部３の表示としては、上記した実施例の如き映像記憶媒体１本体自身に関する表示に限らず、図７に示すような顔写真等の本人確認を補助する等の映像記憶媒体本体自身に関する表示以外の表示であってもよいし、映像記憶媒体１本体自身に関する表示と該映像記憶媒体１本体自身に関する表示以外の表示の両方の表示であってもよい。
【００４１】
映像記憶媒体１本体自身に関する表示以外の表示としては、顔写真、記憶映像の分類ファイル名（例えば、個人、会社、所属部署等の分類）、年月日、時間、場所、イベント（例えば、運動会、結婚式等）等の他、販売会社或いは販売店の標章や会社名・店舗名等（ＯＥＭを含む）が挙げられる。
【００４２】
また、バーコードを表示させ、無線ＩＣチップ２に記憶されている一部の情報（例えば、品種）をバーコードとして表示させることにより、種々の読み取り装置で読み取り活用することが可能となる。
【図面の簡単な説明】
【００４３】
【図１】本発明に係る映像記憶媒体の一実施例を示す正面図
【図２】表示部を備えた無線ＩＣチップの一実施例を示す正面図
【図３】図２の概略拡大断面図
【図４】表示部を備えた無線ＩＣチップの他の実施例を示す背面図
【図５】図４の概略拡大断面図
【図６】表示部を備えた無線ＩＣチップの他の実施例を示す概略拡大断面図
【図７】表示部の他の実施例を示す正面図
【符号の説明】
【００４４】
１  映像記憶媒体
１１  凹みスペース
２  無線ＩＣチップ
２１  ＩＣチップ部
２２  アンテナ部
２３  ベース
２３Ａ  表側
２３Ｂ  裏側
３  表示部
３１  表示部ベース
３２  裏側ベース
４  接着層ないし粘着層
【図１】
2005339061.tif 000003
【図２】
2005339061.tif 000004
【図３】
2005339061.tif 000005
【図４】
2005339061.tif 000006
【図５】
2005339061.tif 000007
【図６】
2005339061.tif 000008
【図７】
2005339061.tif 000009